(57)【特許請求の範囲】
【請求項１】
被取付対象物に取付けられて使用される屋外用照明器具であって、
光源、該光源を覆って前記光源からの光が透過する透光カバーを有する本体部、および、該本体部の側部に連結されて前記本体部を被取付対象物に対して所定の角度で維持させるアングルを含む灯具と、
少なくとも前記本体部の前記アングル側の端部および前記アングルの前記本体部側の端部の下方の位置に配置され、上面が排水路として機能する排水カバーと
を備え、
前記所定の角度で維持された状態の前記本体部においては、被取付対象物に近い側が遠い側より鉛直方向下側に位置し、
前記排水カバーの前記上面は、前記本体部の前記アングル側の前記端部に対向し、かつ、被取付対象物に近づくに従って鉛直方向下方に位置するように延在する、屋外用照明器具。
【請求項２】
前記灯具において、前記所定の角度を調節可能に前記アングルにより前記本体部を維持し、
前記排水カバーは、前記所定の角度の調節により変化する前記本体部の前記アングル側の端部と被取付対象物との間の間隔に応じて、前記本体部に対してスライド移動するためのスライド機構を有する、請求項１に記載の屋外用照明器具。
【請求項３】
前記排水カバーは、長孔部を有し、かつ、該長孔部に挿通された締結部材によって位置決め固定され、
前記スライド機構は、前記長孔部と前記締結部材とから構成され、かつ、前記長孔部内における前記締結部材の位置を前記長孔部に沿って変更することにより前記排水カバーをスライド移動させる、請求項２に記載の屋外用照明器具。
【請求項４】
前記排水カバーの上面が、断面Ｖ字状の溝状に形成されている、請求項１から３のいずれかに記載の屋外用照明器具。
【請求項５】
前記排水カバーは、前記排水カバーの端部の一部が被取付対象物と接触した状態において被取付対象物と干渉しないための傾斜部を該端部に有する、請求項４に記載の屋外用照明器具。
【請求項６】
前記排水カバーの前記上面の延在方向と水平方向との成す角が３０°以上である、請求項１から５のいずれかに記載の屋外用照明器具。
【請求項７】
前記排水カバーの上面が黒色である、請求項１から６のいずれかに記載の屋外用照明器具。
【請求項８】
前記透光カバーは、断面Ｖ字状で延在するように形成されている、請求項１から７のいずれかに記載の屋外用照明器具。
【請求項９】
前記アングルを覆うように配置され、上面が断面逆Ｖ字状の凸状である雪除けカバーをさらに備え、
前記雪除けカバーの下端の鉛直方向下方に、前記排水カバーの上面の一部が位置する、請求項１から８のいずれかに記載の屋外用照明器具。
【請求項１０】
前記光源がＬＥＤである、請求項１から９のいずれかに記載の屋外用照明器具。
【請求項１１】
光源、該光源を覆って前記光源からの光が透過する透光カバーを有する本体部、および、該本体部の側部に連結されて前記本体部を被取付対象物に対して所定の角度で維持させるアングルを含む灯具を有し、かつ、前記所定の角度で維持された状態の前記本体部においては被取付対象物に近い側が遠い側より鉛直方向下側に位置する屋外用照明器具に、つららの影響を抑制するために設けられる排水カバーであって、
少なくとも前記本体部の前記アングル側の端部および前記アングルの前記本体部側の端部の下方の位置に配置されて上面が排水路として機能し、
前記上面は、前記本体部の前記アングル側の前記端部に対向し、かつ、被取付対象物に近づくに従って鉛直方向下方に位置するように延在する、排水カバー。
【請求項１２】
前記灯具において前記所定の角度を調節可能に前記アングルにより前記本体部を維持し、
前記所定の角度の調節により変化する前記本体部の前記アングル側の端部と被取付対象物との間の間隔に応じて、前記本体部に対してスライド移動するためのスライド機構を有する、請求項１１に記載の排水カバー。
【請求項１３】
長孔部を有し、かつ、該長孔部に挿通された締結部材によって位置決め固定され、
前記スライド機構が、前記長孔部と前記締結部材とから構成され、かつ、前記長孔部内における前記締結部材の位置を前記長孔部に沿って変更することによりスライド移動する、請求項１２に記載の排水カバー。
【請求項１４】
前記上面が断面Ｖ字状の溝状に形成されている、請求項１１から１３のいずれかに記載の排水カバー。
【請求項１５】
端部の一部が被取付対象物と接触した状態において被取付対象物と干渉しないための傾斜部を該端部に有する、請求項１４に記載の排水カバー。
【請求項１６】
前記上面の延在方向と水平方向との成す角が３０°以上である、請求項１１から１５のいずれかに記載の排水カバー。
【請求項１７】
前記上面が黒色である、請求項１１から１６のいずれかに記載の排水カバー。
【発明の詳細な説明】
【技術分野】
【０００１】
本発明は屋外用照明器具および排水カバーに関し、特に、寒冷地にて使用される屋外用照明器具および排水カバーに関する。
【背景技術】
【０００２】
つららが発生することを抑制する屋外用照明器具を開示した先行文献として特許文献１がある。特許文献１に記載された屋外用照明器具においては、熱伝導板を照明器具本体の上面の内壁と反射板との間に空間を有して配置している。熱伝導板による熱伝導と、熱伝導板と照明器具本体の内部で発生する熱の対流により、アームの支持部近傍の照明器具本体内部の温度上昇を図って、つららの発生を抑制している。
【先行技術文献】
【特許文献】
【０００３】
【特許文献１】特開２００７−２７０１２号公報
【発明の概要】
【発明が解決しようとする課題】
【０００４】
近年、照明器具の省エネルギー化を図るために、光源における発熱量が低減されてきている。そのため、光源からの発熱を利用してつららの発生を抑制することは、照明器具の省エネルギー化が進むにつれて難しくなってきている。
【０００５】
本発明は上記の問題点に鑑みてなされたものであって、熱によらずにつららの影響を抑制することができる屋外用照明器具および排水カバーを提供することを目的とする。
【課題を解決するための手段】
【０００６】
本発明に基づく屋外用照明器具は、被取付対象物に取り付けられて使用される屋外用照明器具である。屋外用照明器具は、光源、この光源を覆って光源からの光が透過する透光カバーを有する本体部、および、本体部の側部に連結されて本体部を被取付対象物に対して所定の角度で維持させるアングルを含む灯具と、少なくとも本体部のアングル側の端部およびアングルの本体部側の端部の下方の位置に配置され、上面が排水路として機能する排水カバーとを備える。所定の角度で維持された状態の本体部においては、被取付対象物に近い側が遠い側より鉛直方向下側に位置している。排水カバーの上面は、本体部のアングル側の端部に対向し、かつ、被取付対象物に近づくに従って鉛直方向下方に位置するように延在する。
【０００７】
本発明の一形態においては、灯具において、上記所定の角度を調節可能にアングルにより本体部を維持する。排水カバーは、上記所定の角度の調節により変化する本体部のアングル側の端部と被取付対象物との間の間隔に応じて、本体部に対してスライド移動するためのスライド機構を有する。
【０００８】
本発明の一形態においては、排水カバーは、長孔部を有し、かつ、この長孔部に挿通された締結部材によって位置決め固定される。スライド機構は、長孔部と締結部材とから構成され、かつ、長孔部内における締結部材の位置を長孔部に沿って変更することにより排水カバーをスライド移動させる。
【０００９】
好ましくは、排水カバーの上面が、断面Ｖ字状の溝状に形成されている。
本発明の一形態においては、排水カバーは、排水カバーの端部の一部が被取付対象物と接触した状態において被取付対象物と干渉しないための傾斜部をこの端部に有する。
【００１０】
本発明の一形態においては、排水カバーは、傾斜部の一部が被取付対象物と接触した状態において、被取付対象物と接触する２箇所の接触部を有し、かつ、接触部同士の間に上面の最下部が位置する。
【００１１】
好ましくは、排水カバーの上面の延在方向と水平方向との成す角が３０°以上である。
好ましくは、排水カバーの上面が黒色である。
【００１２】
好ましくは、排水カバーは、撥水加工を施されている。
好ましくは、透光カバーは、断面Ｖ字状で延在するように形成されている。
【００１３】
好ましくは、屋外用照明器具は、アングルを覆うように配置され、上面が断面逆Ｖ字状の凸状である雪除けカバーをさらに備える。雪除けカバーの下端の鉛直方向下方に、排水カバーの上面の一部が位置する。
【００１４】
好ましくは、光源がＬＥＤである。
本発明に基づく排水カバーは、光源、この光源を覆って光源からの光が透過する透光カバーを有する本体部、および、この本体部の側部に連結されて本体部を被取付対象物に対して所定の角度で維持させるアングルを含む灯具を有し、かつ、上記所定の角度で維持された状態の本体部においては被取付対象物に近い側が遠い側より鉛直方向下側に位置する屋外用照明器具に、つららの影響を抑制するために設けられる排水カバーである。排水カバーは、少なくとも本体部のアングル側の端部およびアングルの本体部側の端部の下方の位置に配置されて上面が排水路として機能する。上記上面は、本体部のアングル側の端部に対向し、かつ、被取付対象物に近づくに従って鉛直方向下方に位置するように延在する。
【発明の効果】
【００１５】
本発明によれば、屋外用照明器具において熱によらずにつららの影響を抑制することができる。
【図面の簡単な説明】
【００１６】
【図１】本発明の実施形態１に係る屋外用照明器具の外観を示す側面図である。
【図２】同実施形態に係る屋外用照明器具の外観を示す正面図である。
【図３】同実施形態に係る屋外用照明器具において、排水カバーを取り外した状態を示す側面図である。
【図４】同実施形態に係る排水カバーの構造を示す斜視図である。
【図５】本発明の実施形態２に係る屋外用照明器具の外観を示す側面図である。
【図６】同実施形態の雪除けカバーの外観を示す斜視図である。
【図７】図５に示す屋外用照明器具のＶＩＩ−ＶＩＩ線矢印方向から見た断面図である。
【図８】本発明の実施形態３に係る屋外用照明器具の外観を示す側面図である。
【図９】同実施形態に係る屋外用照明器具において、アーム部を取り外した状態を示す斜視図である。
【図１０】同実施形態に係る屋外用照明器具を支柱側から見上げた状態を示す一部斜視図である。
【図１１】同実施形態に係る排水カバーの構造を示す斜視図である。
【図１２】同実施形態に係る排水カバーを上方から見た状態を示す平面図である。
【図１３】同実施形態に係る連結金具の構造を示す斜視図である。
【図１４】支柱と排水カバーの角部とが接触した状態を下方から見た一部下面図である。
【発明を実施するための形態】
【００１７】
以下、本発明の実施形態１に係る屋外用照明器具について図面を参照して説明する。以下の実施形態の説明においては、図中の同一または相当部分には同一符号を付して、その説明は繰り返さない。
【００１８】
(実施形態１)
図１は、本発明の実施形態１に係る屋外用照明器具の外観を示す側面図である。図２は、本実施形態に係る屋外用照明器具の外観を示す正面図である。図３は、本実施形態に係る屋外用照明器具において、排水カバーを取り外した状態を示す側面図である。図４は、本実施形態に係る排水カバーの構造を示す斜視図である。
【００１９】
図１〜３に示すように、本発明の実施形態１に係る屋外用照明器具１は、被取付対象物である支柱１０にバンド２０で取り付けられて使用される屋外用照明器具である。屋外用照明器具１は、灯具１００と排水カバー１４０とを備える。
【００２０】
以下、灯具１００の構成について説明する。
灯具１００は、本体部１１０と、本体部１１０の側部１１４に連結されて本体部１１０を支柱１０に対して所定の角度で維持させるアングル１３０とを含む。
【００２１】
本体部１１０は、ベース部材１１１と、ベース部材１１１に接続される光源１１２と、ベース部材１１１と組み合わされる透光カバー１１３とを含む。
【００２２】
ベース部材１１１は、断面Ｖ字状で延在するように形成されている。ベース部材１１１は、屋外用照明器具１が支柱１０に取り付けられた状態において、本体部１１０の上部に位置する。ベース部材１１１は、アルミ製の外装部と、外装部内に配置された電装部品とを含む。
【００２３】
ベース部材１１１には、光源１１２に接続される端子が設けられており、その端子は図示しない入力線に接続されている。入力線は、本体部１１０の側部１１４からアングル１３０の内部を通過して、支柱１０に設置されている商用電源と接続される。言い換えると、商用電源からの電気が、入力線を介してベース部材１１１の端子に接続された光源１１２に供給される。
【００２４】
本実施形態においては、光源１１２は、ＬＥＤ(Light Emitting Diode)である。ただし、光源１１２としては、ＬＥＤに限られず、ＨＩＤ(High Intensity Discharge)ランプなどを用いてもよい。
【００２５】
透光カバー１１３は、ベース部材１１１の外装部と嵌め合わされて本体部１１０の外形を構成している。透光カバー１１３は、断面Ｖ字状で延在するように形成されている。透光カバー１１３は、屋外用照明器具１が支柱１０に取り付けられた状態において、本体部１１０の下部に位置する。透光カバー１１３は、光源１１２を覆って光源１１２からの光を透過させる。
【００２６】
アングル１３０は、バンド２０用の孔部１３５が形成されたアーム部１３１と、本体部１１０と接続されるとともにアーム部１３１と固定されている取付金具１３２とを含む。アーム部１３１と取付金具１３２とは、ボルト１３３により互いの位置関係が固定される。アーム部１３１には、後述する排水カバー１４０を取り付けるための孔部１３４が形成されている。
【００２７】
アーム部１３１および取付金具１３２はともに、金属製の板金を曲げ加工することにより形成され、外形が略直方体形状を有した中空体である。アーム部１３１と取付金具１３２との固定角度を変更することにより、本体部１１０の支柱１０に対する角度を調節することができる。
【００２８】
光源１１２から出射された光で効率よく照明するために、本体部１１０は、支柱１０に対して所定の角度で維持される。具体的には、アーム部１３１と取付金具１３２との固定角度を調節して、アーム部１３１をバンド２０で支柱に固定することにより、本体部１１０を支柱１０に対して所定の角度で維持させる。
【００２９】
所定の角度で維持された状態の本体部１１０においては、支柱１０に近い側が遠い側より鉛直方向下側に位置している。言い換えると、支柱１０に近づくに従って高さが低くなるように、本体部１１０が傾斜して配置されている。そのため、透光カバー１１３の支柱１０側の下端１１５の高さは、支柱１０から最も離れた位置の下端１１６の高さより低くなっている。
【００３０】
このように支柱１０に取り付けられた屋外用照明器具１に雨または雪が降った場合、本体部１１０に付着した雨または雪解け水は、本体部１１０の外表面を伝って最も低い位置にある下端１１５に流れ着く。また、透光カバー１１３が、断面Ｖ字状で延在するように形成されているため、本体部１１０の下端１１５に水滴が溜まり易く、外気温が低い場合には、水滴が凝固してつららとなる。
【００３１】
本実施形態に係る屋外用照明器具１においては、本体部１１０のアングル１３０側の端部である下端１１５およびアングル１３０の下方の位置に、上面が排水路として機能する排水カバー１４０が配置されている。
【００３２】
図４に示すように、排水カバー１４０は、アングル１３０の下方に配置される上面部１４２ａ，１４２ｂと、本体部１１０の下端１１５に対向するように配置される上面部１４２ｃ，１４２ｄとを有している。
【００３３】
上面部１４２ａと上面部１４２ｂ、および、上面部１４２ｃと上面部１４２ｄは、互いに鋭角の角度で交差している。言い換えると、排水カバー１４０の上面が、断面Ｖ字状の溝状に形成されている。その結果、排水カバー１４０の上面に谷部１４１が形成される。
【００３４】
上面部１４２ａの上端、および、上面部１４２ｂの上端の各々から、排水カバー１４０をアーム部１３１に取り付けるための立設部１４３ａおよび立設部１４３ｂが互いに対向するように設けられている。立設部１４３ａおよび立設部１４３ｂの各々には、アーム部１３１の孔部１３４に対応した位置に、孔部１４４ａ，１４４ｂが形成されている。
【００３５】
本実施形態においては、排水カバー１４０を金属製の板金を曲げ加工することにより作製したが、樹脂を成型して作製してもよい。
【００３６】
排水カバー１４０は、立設部１４３ａと立設部１４３ｂとの間にアーム部１３１を嵌め込んだ状態で、孔部１４４ａ，１４４ｂおよび孔部１３４にボルト１５０を挿通して図示しないナットで固定することによりアングル１３０に固定される。図１に示すように、排水カバー１４０がアングル１３０に固定された状態で、排水カバー１４０の上面は、本体部１１０のアングル１３０側の端部である下端１１５に対向し、かつ、支柱１０に近づくに従って鉛直方向下方に位置するように延在している。
【００３７】
上記のように排水カバー１４０を取り付けることにより、本体部１１０の下端１１５に溜まった水滴は、排水カバー１４０の上面上に滴下して谷部１４１に集まりながら支柱１０側に流下する。その結果、本体部１１０の下端１１５の位置でつららが成長することを抑制することができる。
【００３８】
本実施形態においては、本体部１１０の下端１１５と排水カバー１４０の上面との間には、僅かに隙間を設けている。ただし、水滴の流下を効率よくするために、本体部１１０の下端１１５と排水カバー１４０の上面とを接触させた方がいい場合には、本体部１１０の下端１１５と排水カバー１４０の上面とを接触させる。
【００３９】
また、本実施形態においては、排水カバー１４０の谷部１４１の最下端を支柱１０に接触させることにより、谷部１４１を流下させた水滴が支柱１０を伝って地表まで流れるようにしているが、排水カバー１４０と支柱１０とは接触していなくてもよい。
【００４０】
排水カバー１４０は、少なくとも本体部１１０の下端１１５およびアングル１３０の本体部１１０側の端部の下方の位置に配置されていればよい。そのようにすることにより、つららが形成される位置を、本体部１１０の下端の位置から少しでも支柱１０側に移すことができるため、つららが屋外用照明器具１の下を歩く通行人に落下することを抑制することができる。よって、つららの影響を抑制することができる。
【００４１】
本実施形態においては、排水カバー１４０の上面部１４２ａ，１４２ｂ，１４２ｃ，１４２ｄは、黒色に着色されている。このようにすることにより、排水カバー１４０の上面に積もった雪を太陽光の熱で効率的に溶かして雪解け水の温度を昇温できるため、つららの発生を抑制することができる。
【００４２】
なお、排水カバー１４０の素材の色が黒色の場合は着色する必要はない。また、黒色に着色されている部分は排水カバー１４０の上面の一部でもよく、排水カバー１４０は必ずしも着色されていなくてもよい。さらに、排水カバー１４０の形状は、図４に示す形状に限られず、本体部１１０の下端１１５に溜まった水滴を支柱１０側に移動させることができる形状であればよい。
【００４３】
本実施形態においては、光源１１２としてＬＥＤを用いているため、屋外用照明器具１の省電力化を図ることができる。
【００４４】
以下、本発明の実施形態２に係る屋外用照明器具について図面を参照して説明する。本実施形態は、雪除けカバーを設けた点のみ実施形態１と異なるため、他の構成については説明を繰り返さない。
【００４５】
(実施形態２)
図５は、本発明の実施形態２に係る屋外用照明器具の外観を示す側面図である。図６は、本実施形態の雪除けカバーの外観を示す斜視図である。図７は、図５に示す屋外用照明器具のＶＩＩ−ＶＩＩ線矢印方向から見た断面図である。
【００４６】
図５〜７に示すように、本発明の実施形態２に係る屋外用照明器具１においては、アングル１３０を覆うように雪除けカバー１６０が配置されている。雪除けカバー１６０は、アングル１３０の上方に配置される上面部１６１ａ，１６１ｂを有している。
【００４７】
上面部１６１ａと上面部１６１ｂは、互いに鋭角の角度で交差している。言い換えると、雪除けカバー１６０の上面が、断面逆Ｖ字状の凸状に形成されている。その結果、雪除けカバー１６０の上面に降った雪を雪除けカバー１６０上に積もりにくくすることができる。
【００４８】
上面部１６１ａの下端、および、上面部１６１ｂの下端の各々から、雪除けカバー１６０をアーム部１３１に取り付けるための立設部１６２ａおよび立設部１６２ｂが互いに対向するように設けられている。立設部１６２ａおよび立設部１６２ｂの各々には、アーム部１３１の孔部に対応した位置に、それぞれ図示しない孔部および孔部１６３ｂが形成されている。
【００４９】
本実施形態においては、雪除けカバー１６０を金属製の板金を曲げ加工することにより作製したが、樹脂を成型して作製してもよい。
【００５０】
雪除けカバー１６０は、立設部１６２ａと立設部１６２ｂとの間にアーム部１３１を嵌め込んだ状態で、図示しない孔部および孔部１６３ｂにボルト１７０を挿通して図示しないナットで固定することによりアングル１３０に固定される。図７に示すように、雪除けカバー１６０の下端の鉛直方向下方に、排水カバー１４０の上面部１４２ａ，１４２ｂが位置する。
【００５１】
上記のように雪除けカバー１６０を取り付けることにより、雪除けカバー１６０の上面部１６１ａ，１６１ｂに付着した雨または雪解け水は、矢印１８０で示すように、排水カバー１４０の上面部１４２ａ，１４２ｂ上に滴下して谷部１４１に集まりながら支柱１０側に流下する。その結果、アングル１３０の下方の位置でつららが成長することを抑制することができる。
【００５２】
本実施形態においては、雪除けカバー１６０の上面部１４２ａ，１４２ｂは、黒色に着色されている。このようにすることにより、雪除けカバー１６０の上面に積もった雪を太陽光の熱で効率的に溶かすことができるため、つららの発生を抑制することができる。
【００５３】
なお、雪除けカバー１６０の素材の色が黒色の場合は着色する必要はない。また、黒色に着色されている部分は雪除けカバー１６０の上面の一部でもよく、雪除けカバー１６０は必ずしも着色されていなくてもよい。
【００５４】
本実施形態においては、つららが形成される位置を、本体部１１０の下端の位置から少しでも支柱１０側に移すことができるため、つららが屋外用照明器具１の下を歩く通行人に落下することを抑制することができる。よって、つららの影響を抑制することができる。
【００５５】
以下、本発明の実施形態３に係る屋外用照明器具について図面を参照して説明する。以下の説明において、実施形態１と同様である構成については説明を繰り返さない。
【００５６】
(実施形態３)
図８は、本発明の実施形態３に係る屋外用照明器具の外観を示す側面図である。図９は、本実施形態に係る屋外用照明器具において、アーム部を取り外した状態を示す斜視図である。図１０は、本実施形態に係る屋外用照明器具を支柱側から見上げた状態を示す一部斜視図である。
【００５７】
図１１は、本実施形態に係る排水カバーの構造を示す斜視図である。図１２は、本実施形態に係る排水カバーを上方から見た状態を示す平面図である。図１３は、本実施形態に係る連結金具の構造を示す斜視図である。
【００５８】
図８〜１０に示すように、本発明の実施形態３に係る屋外用照明器具２は、アーム部２３１が被取付対象物である支柱１０に図示しないボルトで締結されることにより、支柱１０に取り付けられて使用される屋外用照明器具である。屋外用照明器具２は、灯具２００と排水カバー２４０とを備える。
【００５９】
以下、灯具２００の構成について説明する。
灯具２００は、本体部１１０と、本体部１１０の側部に連結されて本体部１１０を支柱１０に対して所定の角度で維持させるアングル２３０とを含む。
【００６０】
アングル２３０は、アーム部２３１と、本体部１１０と接続されるとともにアーム部２３１と固定されている取付金具２３２とを含む。アーム部２３１と取付金具２３２とは、ボルト２３３および図示しないナットにより互いの位置関係が固定される。
【００６１】
アーム部２３１には、ボルト２３３を挿通させるための互いに対向する図示しない長孔部および長孔部２３１ｂが形成されている。取付金具２３２には、ボルト２３３を挿通させるための互いに対向する孔部２３２ａおよび孔部２３２ｂが形成されている。
【００６２】
アーム部２３１および取付金具２３２はともに、金属製の板金を曲げ加工することにより形成されている。アーム部２３１と取付金具２３２との固定角度を変更することにより、本体部１１０の支柱１０に対する角度を調節することができる。
【００６３】
光源１１２から出射された光で効率よく照明するために、本体部１１０は、支柱１０に対して所定の角度で維持される。具体的には、アーム部２３１と取付金具２３２との固定角度を調節して、アーム部２３１を図示しないボルトで支柱に固定することにより、本体部１１０を支柱１０に対して所定の角度で維持させる。
【００６４】
所定の角度で維持された状態の本体部１１０においては、支柱１０に近い側が遠い側より鉛直方向下側に位置している。言い換えると、支柱１０に近づくに従って高さが低くなるように、本体部１１０が傾斜して配置されている。そのため、透光カバー１１３の支柱１０側の下端の高さは、支柱１０から最も離れた位置の下端の高さより低くなっている。
【００６５】
本実施形態に係る屋外用照明器具２においては、本体部１１０のアングル２３０側の端部およびアングル２３０の下方の位置に、上面が排水路として機能する排水カバー２４０が配置されている。
【００６６】
図１１，１２に示すように、排水カバー２４０は、本体部１１０のアングル２３０側の端部およびアングル２３０の下方に配置される上面部２４２ａ，２４２ｂを有している。
【００６７】
上面部２４２ａと上面部２４２ｂとは、互いに鋭角の角度で交差している。言い換えると、排水カバー２４０の上面が、断面Ｖ字状の溝状に形成されている。その結果、排水カバー２４０の上面に谷部２４１が形成される。
【００６８】
図１２に示すように、排水カバー２４０は、互いに対向する位置に、長孔部２４４ａ，２４４ｂを有する。また、排水カバー２４０は、一方の端部に、平面視において略テーパ状の傾斜部２４５ａ，２４５ｂを有する。
【００６９】
排水カバー２４０の一方の端部には、平面視において平坦で、傾斜部２４５ａ，２４５ｂと交差する平坦部２４６が設けられている。傾斜部２４５ａと平坦部２４６との交点に角部２４７ａが形成されている。傾斜部２４５ｂと平坦部２４６との交点に角部２４７ｂが形成されている。
【００７０】
本実施形態においては、排水カバー２４０を金属製の板金を曲げ加工することにより作製したが、樹脂を成型して作製してもよい。
【００７１】
図１０に示すように、本実施形態においては、排水カバー２４０は、連結金具２７０を介して取付金具２３２に固定される。排水カバー２４０と連結金具２７０とは、締結部材であるボルト２５０により固定される。連結金具２７０と取付金具２３２とは、ボルト２８０により固定される。取付金具２３２には、ボルト２８０と螺合する図示しない雌螺子部が形成されている。
【００７２】
図１３に示すように、連結金具２７０は、取付金具２３２と接触する平面部２７１と、平面部２７１の両端からそれぞれ平面部２７１に直交するように屈曲した直交部２７２ａ，２７２ｂと、直交部２７２ａ，２７２ｂから外側にそれぞれ折り返され、直交部２７２ａ，２７２ｂとの間に鋭角を成す折返し部２７３ａ，２７３ｂとを有する。
【００７３】
また、連結金具２７０は、平面部２７１の側面の一部から、直交部２７２ａ，２７２ｂとは反対側に屈曲した突起部２７４を有する。
【００７４】
平面部２７１には、ボルト２８０を挿通させるための孔部２７５ａ，２７５ｂが形成されている。折返し部２７３ａ，２７３ｂには、ボルト２５０と螺合する雌螺子部２７６がそれぞれ形成されている。
【００７５】
排水カバー２４０は、連結金具２７０に取り付けられた状態で、取付金具２３２に固定される。連結金具２７０の突起部２７４は、排水カバー２４０を取付金具２３２に対して反対向きに取り付けることができないようにするための部材である。
【００７６】
具体的には、排水カバー２４０の平坦部２４６側が連結金具２７０の突起部２７４側に位置するように、上面部２４２ａと折返し部２７３ａとを、また、上面部２４２ｂと折返し部２７３ｂとを、それぞれ互いに接触させた状態で、排水カバー２４０と連結金具２７０とをボルト２５０により互いに固定する。
【００７７】
その状態で、連結金具２７０の突起部２７４が取付金具２３２と干渉しないように、連結金具２７０と取付金具２３２とをボルト２８０により互いに固定する。このように、排水カバー２４０を取付金具２３２に固定することにより、排水カバー２４０の平坦部２４６を必ず支柱１０と対向する側に位置させることができる。
【００７８】
仮に、排水カバー２４０を反対向きにして取付金具２３２に固定しようとした場合、突起部２７４が取付金具２３２と干渉して、連結金具２７０と取付金具２３２とをボルト２８０で固定することができない。よって、屋外用照明器具２の組み立てミスを抑制することができる。
【００７９】
図８に示すように、排水カバー２４０がアングル２３０に固定された状態で、排水カバー２４０の上面は、本体部１１０のアングル２３０側の端部に対向し、かつ、支柱１０に近づくに従って鉛直方向下方に位置するように延在している。
【００８０】
上記のように排水カバー２４０を取り付けることにより、本体部１１０のアングル２３０側の端部に溜まった水滴は、排水カバー２４０の上面上に滴下して谷部２４１に集まりながら支柱１０側に流下する。その結果、本体部１１０のアングル２３０側の端部の位置でつららが成長することを抑制することができる。
【００８１】
本実施形態においては、本体部１１０のアングル２３０側の端部と排水カバー２４０の上面との間には、僅かに隙間を設けている。ただし、水滴の流下を効率よくするために、本体部１１０のアングル２３０側の端部と排水カバー２４０の上面とを接触させた方がいい場合には、本体部１１０のアングル２３０側の端部と排水カバー２４０の上面とを接触させる。
【００８２】
また、本実施形態においては、排水カバー２４０の端部の一部である平坦部２４６を支柱１０に接触させることにより、谷部２４１を流下させた水滴が支柱１０を伝って地表まで流れるようにしているが、排水カバー２４０と支柱１０とは接触していなくてもよい。
【００８３】
上述の通り、灯具２００の本体部１１０は、アングル２３０により支柱１０に対する所定の角度が調節可能とされている。そのため、本実施形態に係る排水カバー２４０は、上記所定の角度の調節により変化する本体部１１０のアングル２３０側の端部と支柱１０との間の間隔に応じて、本体部１１０に対してスライド移動するためのスライド機構を有している。
【００８４】
具体的には、本体部１１０が支柱１０に対して直交するように調節した場合、本体部１１０のアングル２３０側の端部と支柱１０との間の間隔は短くなる。そのため、排水カバー２４０の固定位置を本体部１１０側に移動することにより、排水カバー２４０と支柱１０とが干渉することを防止する。
【００８５】
スライド機構は、排水カバー２４０の長孔部２４４ａ，２４４ｂと、ボルト２５０と、連結金具２７０の雌螺子部２７６とから構成されている。長孔部２４４ａ，２４４ｂ内におけるボルト２５０の位置を長孔部２４４ａ，２４４ｂに沿って変更することにより、排水カバー２４０を本体部１１０に対してスライド移動させることができる。
【００８６】
このスライド機構により、本体部１１０の所定の角度に応じて、排水カバー２４０を本体部１１０に対してスライド移動させて、排水カバー２４０が支柱１０と干渉することを防止することができる。なお、長孔部２４４ａ，２４４ｂの長さは、本体部１１０の所定の角度の調節範囲に応じて適宜設定される。
【００８７】
また、傾斜部２４５ａ，２４５ｂは、排水カバー２４０の平坦部２４６が支柱１０と接触した状態において支柱１０と排水カバー２４０とが干渉しないように形成されている。よって、本体部１１０の傾斜角度が最も大きな状態においても、傾斜部２４５ａ，２４５ｂと支柱１０とが干渉しないように、傾斜部２４５ａ，２４５ｂが形成されている。
【００８８】
さらに、排水カバー２４０は、傾斜部２４５ａ，２４５ｂおよび平坦部２４６を有することにより、角部２４７ａ，２４７ｂを有している。この角部２４７ａと角部２４７ｂとの間に、谷部２４１が位置している。
【００８９】
図１４は、支柱と排水カバーの角部とが接触した状態を下方から見た一部下面図である。支柱１０に排水カバー２４０を傾斜させて接触させた場合、図１４に示すように、支柱１０と排水カバー２４０の傾斜部２４５ａ，２４５ｂとが、角部２４７ａ，２４７ｂにおいて接触する。
【００９０】
すなわち、排水カバー２４０は、傾斜部２４５ａ，２４５ｂの一部が支柱１０と接触した状態において、支柱１０と接触する２箇所の接触部である角部２４７ａ，２４７ｂを有する。角部２４７ａと角部２４７ｂとの間に、上面の最下部である谷部２４１の下端が位置している。
【００９１】
この状態において、支柱１０と平坦部２４６との間には、角部２４７ａと角部２４７ｂとの間に位置する隙間が形成されている。この隙間により、谷部２４１を流下させた水滴を円滑に支柱１０に伝わせることができる。また、排水カバー２４０上に付着した埃などを上記隙間から排出することができるため、排水カバー２４０上に埃などが堆積して排水不良を引き起こすことを抑制できる。
【００９２】
本実施形態においては、排水カバー２４０の上面部２４２ａ，２４２ｂの延在方向、すなわち谷部２４１の延在方向と水平方向との成す角を３０°としている。谷部２４１の延在方向と水平方向との成す角を３０°以上とすることにより、谷部２４１を流下する水滴の流速を大きくすることができる。よって、谷部２４１を流下する水滴の流れによって排水カバー２４０上に堆積した埃などを排出することができる。その結果、排水カバー２４０上に埃などが堆積して排水不良を引き起こすことを抑制できる。
【００９３】
また、排水カバー２４０は、少なくとも上面部２４２ａ，２４２ｂが撥水加工を施されていてもよい。この場合、排水カバー２４０の上面部２４２ａ，２４２ｂに付着した水滴を円滑に流下させることができる。このように、排水カバー２４０による排水を円滑にすることにより、水滴の氷結を抑制してつららの発生を低減することができる。
【００９４】
なお、排水カバー２４０は、少なくとも本体部１１０のアングル２３０側の端部およびアングル２３０の本体部１１０側の端部の下方の位置に配置されていればよい。そのようにすることにより、つららが形成される位置を、本体部１１０の下端の位置から少しでも支柱１０側に移すことができるため、つららが屋外用照明器具２の下を歩く通行人に落下することを抑制することができる。よって、つららの影響を抑制することができる。
【００９５】
上記の実施形態１から３における各構成においては、それぞれ組み合わせ可能なもの同士を組み合わせることを当然に予定されている。
【００９６】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００９７】
１，２  屋外用照明器具、１０  支柱、２０  バンド、１００，２００  灯具、１１０  本体部、１１１  ベース部材、１１２  光源、１１３  透光カバー、１１４  側部、１１５，１１６  下端、１３０，２３０  アングル、１３１，２３１  アーム部、１３２，２３２  取付金具、１３３，１５０，１７０，２３３，２５０，２８０  ボルト、１３４，１３５，１４４ａ，１４４ｂ，１６３ｂ，２３２ｂ，２７５ａ，２７５ｂ  孔部、１４０，２４０  排水カバー、１４１，２４１  谷部、１４２ａ，１４２ｂ，１４２ｃ，１４２ｄ，１６１ａ，１６１ｂ，２４２ａ，２４２ｂ  上面部、１４３ａ，１４３ｂ，１６２ａ，１６２ｂ  立設部、１６０  カバー、２３１ｂ，２４４ａ，２４４ｂ  長孔部、２４５ａ，２４５ｂ  傾斜部、２４６  平坦部、２４７ａ，２４７ｂ  角部、２７０  連結金具、２７１  平面部、２７２ａ，２７２ｂ  直交部、２７３ａ，２７３ｂ  折返し部、２７４  突起部、２７６  雌螺子部。
【図１】
0005813477.tif 000002
【図２】
0005813477.tif 000003
【図３】
0005813477.tif 000004
【図４】
0005813477.tif 000005
【図５】
0005813477.tif 000006
【図６】
0005813477.tif 000007
【図７】
0005813477.tif 000008
【図８】
0005813477.tif 000009
【図９】
0005813477.tif 000010
【図１０】
0005813477.tif 000011
【図１１】
0005813477.tif 000012
【図１２】
0005813477.tif 000013
【図１３】
0005813477.tif 000014
【図１４】
0005813477.tif 000015